(57)【要約】【課題】貨幣釣銭機に釣銭として収納される貨幣等やエアシュータにより貨幣釣銭機とは別の装置に搬送される貨幣等について、その在高を確実に管理することができる貨幣処理システムおよび貨幣処理方法を提供する。【解決手段】エアシュータ１４に接続された識別機４０、９０が貨幣釣銭機２０、７０とは別個に設けられており、識別機４０、９０は、その内部に投入された紙葉類や硬貨の識別を行う識別部４６、９６と、識別部４６、９６により識別された紙葉類や硬貨を、エアシュータ１４により搬送されるべきエアシュータ用収納部材１６に収納する収納機構４８、９８と、を有している。制御部６０、１００は、貨幣釣銭機２０、７０に収納された紙葉類や硬貨に係る情報および識別機４０、９０の識別部４６、９６による紙葉類の識別結果に係る情報を合算することにより紙葉類や硬貨の入金額を算出する。【選択図】図２
2011159019.tif 000002
【特許請求の範囲】
【請求項１】
筐体と、前記筐体の外部から内部に紙葉類を投入するための投入口と、前記筐体の内部に設けられ、前記投入口により前記筐体の内部に投入された紙葉類を搬送する搬送部と、前記搬送部に設けられ、前記投入口により前記筐体の内部に投入された紙葉類の識別を行う識別部と、前記筐体の内部に設けられ、前記識別部により識別された紙葉類のうち特定の金種の紙幣を釣銭として収納するとともに収納された紙幣を前記搬送部に繰り出す釣銭収納繰出部と、前記搬送部に接続され、前記筐体の内部から外部に紙葉類を投出するための投出口と、を有する貨幣釣銭機と、
エアシュータ用収納部材の搬送を行うエアシュータと、
前記貨幣釣銭機とは別個に設けられ、前記エアシュータに接続された識別機であって、当該識別機の内部に投入された紙葉類の識別を行う識別部と、前記識別部により識別された紙葉類を、前記エアシュータにより搬送されるべきエアシュータ用収納部材に収納する収納機構と、を有する識別機と、
前記貨幣釣銭機の前記釣銭収納繰出部に収納された紙葉類に係る情報および前記識別機の前記識別部による紙葉類の識別結果に係る情報がそれぞれ送られるようになっており、両者の情報を合算することにより紙葉類の入金額を算出する制御部と、
を備えたことを特徴とする貨幣処理システム。
【請求項２】
前記制御部に設けられ、操作者への報知を行うための報知部を更に備え、
前記貨幣釣銭機において、受付できない紙葉類の券種および／または紙幣の金種が予め設定されており、当該券種または金種の紙葉類が前記識別部により識別されたときにはこの紙葉類は前記貨幣釣銭機の外部に投出されるようになっており、このときに、前記制御部は、前記貨幣釣銭機の外部に投出された紙葉類を前記識別機に投入することを報知するよう前記報知部を制御することを特徴とする請求項１記載の貨幣処理システム。
【請求項３】
前記制御部により紙葉類の入金額が算出されるまでは、前記釣銭収納繰出部に収納された紙幣が前記貨幣釣銭機の外部に釣銭として投出されないようになっていることを特徴とする請求項１または２記載の貨幣処理システム。
【請求項４】
筐体と、前記筐体の外部から内部に紙葉類を投入するための投入口と、前記筐体の内部に設けられ、前記投入口により前記筐体の内部に投入された紙葉類を搬送する搬送部と、前記搬送部に設けられ、前記投入口により前記筐体の内部に投入された紙葉類の識別を行う識別部と、前記筐体の内部に設けられ、前記識別部により識別された紙葉類のうち特定の金種の紙幣を釣銭として収納するとともに収納された紙幣を前記搬送部に繰り出す釣銭収納繰出部と、前記搬送部に接続され、前記筐体の内部から外部に紙葉類を投出するための投出口と、を有する貨幣釣銭機と、
エアシュータ用収納部材の搬送を行うエアシュータと、
前記貨幣釣銭機とは別個に設けられ、前記エアシュータに接続された識別機であって、当該識別機の内部に投入された紙葉類の識別を行う識別部と、前記識別部により識別された紙葉類を、前記エアシュータにより搬送されるべきエアシュータ用収納部材に収納する収納機構と、を有する識別機と、
前記貨幣釣銭機から投出された紙葉類に係る情報および前記識別機の前記識別部による紙葉類の識別結果に係る情報がそれぞれ送られるようになっており、両者の情報が一致するか否かを判断する制御部と、
を備えたことを特徴とする貨幣処理システム。
【請求項５】
前記制御部は前記エアシュータの制御も行うようになっており、当該制御部は、前記貨幣釣銭機から投出された紙葉類に係る情報および前記識別機の前記識別部による紙葉類の識別結果に係る情報が一致しない場合には、エアシュータ用収納部材の搬送を行わないよう前記エアシュータを制御することを特徴とする請求項４記載の貨幣処理システム。
【請求項６】
前記制御部に設けられ、操作者への報知を行う報知部を更に備え、
前記貨幣釣銭機において、当該貨幣釣銭機に投入された紙葉類のうち前記貨幣釣銭機において釣銭として使用される紙幣以外のものは、前記貨幣釣銭機において紙幣の入金額が確定された後に前記貨幣釣銭機の外部に投出されるようになっており、このときに、前記制御部は、前記貨幣釣銭機の外部に投出された紙葉類を前記識別機に投入することを報知するよう前記報知部を制御することを特徴とする請求項４または５記載の貨幣処理システム。
【請求項７】
前記制御部は前記貨幣釣銭機および前記識別機とは離間して設けられていることを特徴とする請求項１乃至６のいずれか一項に記載の貨幣処理システム。
【請求項８】
前記制御部は前記貨幣釣銭機の前記筐体の内部に設けられていることを特徴とする請求項１乃至６のいずれか一項に記載の貨幣処理システム。
【請求項９】
前記制御部には記憶部が設けられており、当該制御部は、前記識別機の前記識別部により識別された紙葉類の合計金額を前記記憶部に記憶させるようになっていることを特徴とする請求項１乃至８のいずれか一項に記載の貨幣処理システム。
【請求項１０】
エアシュータ用収納部材には記憶部が設けられており、
前記識別機には、当該識別機の前記識別部による紙葉類の識別情報を前記記憶部に書き込む情報書き込み部が設けられていることを特徴とする請求項１乃至９のいずれか一項に記載の貨幣処理システム。
【請求項１１】
エアシュータ用収納部材は区分けされた複数の収納空間を有し、
前記識別機の前記収納機構は、エアシュータ用収納部材の各収納空間にそれぞれ紙葉類を収納することができるようになっていることを特徴とする請求項１乃至１０のいずれか一項に記載の貨幣処理システム。
【請求項１２】
前記貨幣釣銭機とは別の装置から、前記貨幣釣銭機において釣銭として使用される貨幣が収納されたエアシュータ用収納部材が前記エアシュータにより前記識別機の近傍に搬送されるようになっていることを特徴とする請求項１乃至１１のいずれか一項に記載の貨幣処理システム。
【請求項１３】
筐体と、前記筐体の外部から内部に硬貨を投入するための投入口と、前記筐体の内部に設けられ、前記投入口により前記筐体の内部に投入された硬貨を搬送する搬送部と、前記搬送部に設けられ、前記投入口により前記筐体の内部に投入された硬貨の識別を行う識別部と、前記筐体の内部に設けられ、前記識別部により識別された硬貨のうち特定の金種の硬貨を釣銭として収納する釣銭収納繰出部と、前記筐体の内部から外部に硬貨を投出するための投出口と、を有する貨幣釣銭機と、
エアシュータ用収納部材の搬送を行うエアシュータと、
前記貨幣釣銭機とは別個に設けられ、前記エアシュータに接続された識別機であって、当該識別機の内部に投入された硬貨の識別を行う識別部と、前記識別部により識別された硬貨を、前記エアシュータにより搬送されるべきエアシュータ用収納部材に収納する収納機構と、を有する識別機と、
前記貨幣釣銭機の前記釣銭収納繰出部に収納された硬貨に係る情報および前記識別機の前記識別部による硬貨の識別結果に係る情報がそれぞれ送られるようになっており、両者の情報を合算することにより硬貨の入金額を算出する制御部と、
を備えたことを特徴とする貨幣処理システム。
【請求項１４】
筐体と、前記筐体の外部から内部に硬貨を投入するための投入口と、前記筐体の内部に設けられ、前記投入口により前記筐体の内部に投入された硬貨を搬送する搬送部と、前記搬送部に設けられ、前記投入口により前記筐体の内部に投入された硬貨の識別を行う識別部と、前記筐体の内部に設けられ、前記識別部により識別された硬貨のうち特定の金種の硬貨を釣銭として収納する釣銭収納繰出部と、前記筐体の内部から外部に硬貨を投出するための投出口と、を有する貨幣釣銭機と、
エアシュータ用収納部材の搬送を行うエアシュータと、
前記貨幣釣銭機とは別個に設けられ、前記エアシュータに接続された識別機であって、当該識別機の内部に投入された硬貨の識別を行う識別部と、前記識別部により識別された硬貨を、前記エアシュータにより搬送されるべきエアシュータ用収納部材に収納する収納機構と、を有する識別機と、
前記貨幣釣銭機から投出された硬貨に係る情報および前記識別機の前記識別部による硬貨の識別結果に係る情報がそれぞれ送られるようになっており、両者の情報が一致するか否かを判断する制御部と、
を備えたことを特徴とする貨幣処理システム。
【請求項１５】
貨幣釣銭機において釣銭として使用されるべき紙幣を含む紙葉類を当該貨幣釣銭機の内部に投入する工程と、
前記貨幣釣銭機の識別部により、当該貨幣釣銭機の内部に投入された紙葉類の識別を行う工程と、
前記貨幣釣銭機において釣銭として使用されるべき紙幣以外の紙葉類を前記貨幣釣銭機とは別個に設けられた識別機の識別部により識別する工程と、
前記識別機の前記識別部により識別された紙葉類をエアシュータ用収納部材に収納する工程と、
紙葉類が収納されたエアシュータ用収納部材をエアシュータにより前記貨幣釣銭機とは別の装置に搬送する工程と、
前記貨幣釣銭機の内部に収納された紙葉類に係る情報および前記識別機の前記識別部による紙葉類の識別結果に係る情報を合算することにより紙葉類の入金額を算出する工程と、
を備えたことを特徴とする貨幣処理方法。
【請求項１６】
貨幣釣銭機の内部に紙葉類を投入する工程と、
前記貨幣釣銭機の識別部により、当該貨幣釣銭機の内部に投入された紙葉類の識別を行い、前記識別部による識別結果に基づいて、前記貨幣釣銭機において釣銭として使用されるべき紙幣を前記貨幣釣銭機の内部に収納するとともにそれ以外の紙葉類を前記貨幣釣銭機の外部に投出する工程と、
前記貨幣釣銭機の外部に投出された紙葉類を前記貨幣釣銭機とは別個に設けられた識別機の識別部により識別する工程と、
前記識別機の前記識別部により識別された紙葉類をエアシュータ用収納部材に収納する工程と、
紙葉類が収納されたエアシュータ用収納部材をエアシュータにより前記貨幣釣銭機とは別の装置に搬送する工程と、
前記貨幣釣銭機から投出された紙葉類に係る情報および前記識別機の前記識別部による紙葉類の識別結果に係る情報を比較し、両者の情報が一致するか否かを判断する工程と、
を備えたことを特徴とする貨幣処理方法。
【請求項１７】
貨幣釣銭機において釣銭として使用されるべき硬貨を当該貨幣釣銭機の内部に投入する工程と、
前記貨幣釣銭機の識別部により、当該貨幣釣銭機の内部に投入された硬貨の識別を行う工程と、
前記貨幣釣銭機において釣銭として使用されるべき硬貨以外の硬貨を前記貨幣釣銭機とは別個に設けられた識別機の識別部により識別する工程と、
前記識別機の前記識別部により識別された硬貨をエアシュータ用収納部材に収納する工程と、
硬貨が収納されたエアシュータ用収納部材をエアシュータにより前記貨幣釣銭機とは別の装置に搬送する工程と、
前記貨幣釣銭機の内部に収納された硬貨に係る情報および前記識別機の前記識別部による硬貨の識別結果に係る情報を合算することにより硬貨の入金額を算出する工程と、
を備えたことを特徴とする貨幣処理方法。
【請求項１８】
貨幣釣銭機の内部に硬貨を投入する工程と、
前記貨幣釣銭機の識別部により、当該貨幣釣銭機の内部に投入された硬貨の識別を行い、前記識別部による識別結果に基づいて、前記貨幣釣銭機において釣銭として使用されるべき硬貨を前記貨幣釣銭機の内部に収納するとともにそれ以外の硬貨を前記貨幣釣銭機の外部に投出する工程と、
前記貨幣釣銭機の外部に投出された硬貨を前記貨幣釣銭機とは別個に設けられた識別機の識別部により識別する工程と、
前記識別機の前記識別部により識別された硬貨をエアシュータ用収納部材に収納する工程と、
硬貨が収納されたエアシュータ用収納部材をエアシュータにより前記貨幣釣銭機とは別の装置に搬送する工程と、
前記貨幣釣銭機から投出された硬貨に係る情報および前記識別機の前記識別部による硬貨の識別結果に係る情報を比較し、両者の情報が一致するか否かを判断する工程と、
を備えたことを特徴とする貨幣処理方法。
【発明の詳細な説明】
【技術分野】
【０００１】
本発明は、貨幣釣銭機、この貨幣釣銭機とは別個に設けられた識別機、およびエアシュータを備えた貨幣処理システム、ならびに貨幣処理方法に関する。
【背景技術】
【０００２】
従来から、例えば円筒状の収納部材に紙幣や有価証券等の紙葉類、または硬貨を収納し、これらの紙葉類や硬貨が収納された収納部材をエアチューブに入れて当該エアチューブ内で空気圧により収納部材を搬送するようなエアシュータが知られている。例えば、引用文献１には、スーパーマーケット等の店舗に設けられたキャッシュレジスターで処理された貨幣を、このキャッシュレジスターから離間した出納室へ搬送するためのエアシュータが開示されている。
【先行技術文献】
【特許文献】
【０００３】
【特許文献１】欧州特許出願公開公報ＥＰ０  ０３４  ９４０Ａ１
【発明の概要】
【発明が解決しようとする課題】
【０００４】
このようなエアシュータを用いた際に、キャッシュレジスターで貨幣を入金する場合には、当該キャッシュレジスターで釣銭として使用される低額の紙幣等はこのキャッシュレジスター内に保管されるが、釣銭として使用されない高額の紙幣等はエアシュータによりキャッシュレジスターから出納室へ搬送され、この出納室へ搬送された高額の紙幣は出納室において回収されるようになっている。
【０００５】
しかしながら、上述のような動作を行う際に、キャッシュレジスターに釣銭として収納される貨幣やエアシュータにより出納室に搬送される貨幣等について、その在高を確実に管理することが望まれている。
【０００６】
本発明は、このような点を考慮してなされたものであり、貨幣釣銭機に釣銭として収納される貨幣等やエアシュータにより貨幣釣銭機とは別の装置に搬送される貨幣等について、その在高を確実に管理することができる貨幣処理システムおよび貨幣処理方法を提供することを目的とする。
【課題を解決するための手段】
【０００７】
本発明は、筐体と、前記筐体の外部から内部に紙葉類を投入するための投入口と、前記筐体の内部に設けられ、前記投入口により前記筐体の内部に投入された紙葉類を搬送する搬送部と、前記搬送部に設けられ、前記投入口により前記筐体の内部に投入された紙葉類の識別を行う識別部と、前記筐体の内部に設けられ、前記識別部により識別された紙葉類のうち特定の金種の紙幣を釣銭として収納するとともに収納された紙幣を前記搬送部に繰り出す釣銭収納繰出部と、前記搬送部に接続され、前記筐体の内部から外部に紙葉類を投出するための投出口と、を有する貨幣釣銭機と、エアシュータ用収納部材の搬送を行うエアシュータと、前記貨幣釣銭機とは別個に設けられ、前記エアシュータに接続された識別機であって、当該識別機の内部に投入された紙葉類の識別を行う識別部と、前記識別部により識別された紙葉類を、前記エアシュータにより搬送されるべきエアシュータ用収納部材に収納する収納機構と、を有する識別機と、前記貨幣釣銭機の前記釣銭収納繰出部に収納された紙葉類に係る情報および前記識別機の前記識別部による紙葉類の識別結果に係る情報がそれぞれ送られるようになっており、両者の情報を合算することにより紙葉類の入金額を算出する制御部と、を備えたことを特徴とする貨幣処理システムである。
【０００８】
このような貨幣処理システムによれば、貨幣釣銭機と、エアシュータに接続された識別機を用いて貨幣等の管理を行っており、貨幣釣銭機および識別機はそれぞれ制御部に通信接続されているので、貨幣釣銭機に収納される紙葉類（釣銭としての紙幣等）およびエアシュータにより貨幣釣銭機とは別の装置に搬送される紙葉類について、その合計金額である紙葉類の入金額（貨幣処理システム全体における紙葉類の入金額）を確実に管理することができる。
【０００９】
上述のような貨幣処理システムにおいては、前記制御部に設けられ、操作者への報知を行うための報知部を更に備え、前記貨幣釣銭機において、受付できない紙葉類の券種および／または紙幣の金種が予め設定されており、当該券種または金種の紙葉類が前記識別部により識別されたときにはこの紙葉類は前記貨幣釣銭機の外部に投出されるようになっており、このときに、前記制御部は、前記貨幣釣銭機の外部に投出された紙葉類を前記識別機に投入することを報知するよう前記報知部を制御するようになっていてもよい。このことにより、貨幣釣銭機の外部に投出された紙葉類を操作者が識別機に投入することを忘れてしまうというトラブルを抑制することができる。
【００１０】
上述のような貨幣処理システムにおいては、前記制御部により紙葉類の入金額が算出されるまでは、前記釣銭収納繰出部に収納された紙幣が前記貨幣釣銭機の外部に釣銭として投出されないようになっていてもよい。この場合には、紙葉類の入金額が制御部において確定しないと、貨幣釣銭機において釣銭を用意できないようになっている。
【００１１】
本発明は、筐体と、前記筐体の外部から内部に紙葉類を投入するための投入口と、前記筐体の内部に設けられ、前記投入口により前記筐体の内部に投入された紙葉類を搬送する搬送部と、前記搬送部に設けられ、前記投入口により前記筐体の内部に投入された紙葉類の識別を行う識別部と、前記筐体の内部に設けられ、前記識別部により識別された紙葉類のうち特定の金種の紙幣を釣銭として収納するとともに収納された紙幣を前記搬送部に繰り出す釣銭収納繰出部と、前記搬送部に接続され、前記筐体の内部から外部に紙葉類を投出するための投出口と、を有する貨幣釣銭機と、エアシュータ用収納部材の搬送を行うエアシュータと、前記貨幣釣銭機とは別個に設けられ、前記エアシュータに接続された識別機であって、当該識別機の内部に投入された紙葉類の識別を行う識別部と、前記識別部により識別された紙葉類を、前記エアシュータにより搬送されるべきエアシュータ用収納部材に収納する収納機構と、を有する識別機と、前記貨幣釣銭機から投出された紙葉類に係る情報および前記識別機の前記識別部による紙葉類の識別結果に係る情報がそれぞれ送られるようになっており、両者の情報が一致するか否かを判断する制御部と、を備えたことを特徴とする貨幣処理システムである。
【００１２】
このような貨幣処理システムによれば、制御部は、貨幣釣銭機から投出された紙葉類に係る情報および識別機の識別部による紙葉類の識別結果に係る情報がそれぞれ送られるようになっており、両者の情報が一致するか否かを判断するようになっている。このため、貨幣釣銭機から投出された紙葉類が識別機の収納機構によりエアシュータ用収納部材に適切に収納されたか否かを判断することができる。
【００１３】
上述のような貨幣処理システムにおいては、前記制御部は前記エアシュータの制御も行うようになっており、当該制御部は、前記貨幣釣銭機から投出された紙葉類に係る情報および前記識別機の前記識別部による紙葉類の識別結果に係る情報が一致しない場合には、エアシュータ用収納部材の搬送を行わないよう前記エアシュータを制御するようになっていてもよい。このことにより、貨幣釣銭機から投出された紙葉類がエアシュータ用収納部材に適切に収納された場合のみ、エアシュータ用収納部材の搬送を行うことができるようになる。
【００１４】
上述のような貨幣処理システムにおいては、前記制御部に設けられ、操作者への報知を行う報知部を更に備え、前記貨幣釣銭機において、当該貨幣釣銭機に投入された紙葉類のうち前記貨幣釣銭機において釣銭として使用される紙幣以外のものは、前記貨幣釣銭機において紙幣の入金額が確定された後に前記貨幣釣銭機の外部に投出されるようになっており、このときに、前記制御部は、前記貨幣釣銭機の外部に投出された紙葉類を前記識別機に投入することを報知するよう前記報知部を制御するようになっていてもよい。
【００１５】
本発明の貨幣処理システムにおいては、前記制御部は前記貨幣釣銭機および前記識別機とは離間して設けられていてもよい。
【００１６】
あるいは、前記制御部は前記貨幣釣銭機の前記筐体の内部に設けられていてもよい。
【００１７】
本発明の貨幣処理システムにおいては、前記制御部には記憶部が設けられており、前記制御部は、前記識別機の前記識別部により識別された紙葉類の合計金額を前記記憶部に記憶させるようになっていてもよい。
【００１８】
本発明の貨幣処理システムにおいては、エアシュータ用収納部材には記憶部が設けられており、前記識別機には、当該識別機の前記識別部による紙葉類の識別情報を前記記憶部に書き込む情報書き込み部が設けられていてもよい。このことにより、エアシュータ用収納部材がエアシュータによって貨幣釣銭機とは別の装置に送られたときに、エアシュータ用収納部材の記憶部に書き込まれた情報を読み取ることによりこのエアシュータ用収納部材に収納された紙葉類の情報を確認することができるようになる。
【００１９】
本発明の貨幣処理システムにおいては、エアシュータ用収納部材は区分けされた複数の収納空間を有し、前記識別機の前記収納機構は、エアシュータ用収納部材の各収納空間にそれぞれ紙葉類を収納することができるようになっていてもよい。このことにより、エアシュータ用収納部材に紙葉類を例えば券種別や金種別に収納することができるようになる。
【００２０】
本発明の貨幣処理システムにおいては、前記貨幣釣銭機とは別の装置から、前記貨幣釣銭機において釣銭として使用される貨幣が収納されたエアシュータ用収納部材が前記エアシュータにより前記識別機の近傍に搬送されるようになっていてもよい。
【００２１】
本発明は、筐体と、前記筐体の外部から内部に硬貨を投入するための投入口と、前記筐体の内部に設けられ、前記投入口により前記筐体の内部に投入された硬貨を搬送する搬送部と、前記搬送部に設けられ、前記投入口により前記筐体の内部に投入された硬貨の識別を行う識別部と、前記筐体の内部に設けられ、前記識別部により識別された硬貨のうち特定の金種の硬貨を釣銭として収納する釣銭収納繰出部と、前記筐体の内部から外部に硬貨を投出するための投出口と、を有する貨幣釣銭機と、エアシュータ用収納部材の搬送を行うエアシュータと、前記貨幣釣銭機とは別個に設けられ、前記エアシュータに接続された識別機であって、当該識別機の内部に投入された硬貨の識別を行う識別部と、前記識別部により識別された硬貨を、前記エアシュータにより搬送されるべきエアシュータ用収納部材に収納する収納機構と、を有する識別機と、前記貨幣釣銭機の前記釣銭収納繰出部に収納された硬貨に係る情報および前記識別機の前記識別部による硬貨の識別結果に係る情報がそれぞれ送られるようになっており、両者の情報を合算することにより硬貨の入金額を算出する制御部と、を備えたことを特徴とする貨幣処理システムである。
【００２２】
このような貨幣処理システムによれば、貨幣釣銭機と、エアシュータに接続された識別機を用いて硬貨の管理を行っており、貨幣釣銭機および識別機はそれぞれ制御部に通信接続されているので、貨幣釣銭機に収納される硬貨およびエアシュータにより貨幣釣銭機とは別の装置に搬送される硬貨について、その合計金額である硬貨の入金額（貨幣処理システム全体における硬貨の入金額）を確実に管理することができる。
【００２３】
本発明は、筐体と、前記筐体の外部から内部に硬貨を投入するための投入口と、前記筐体の内部に設けられ、前記投入口により前記筐体の内部に投入された硬貨を搬送する搬送部と、前記搬送部に設けられ、前記投入口により前記筐体の内部に投入された硬貨の識別を行う識別部と、前記筐体の内部に設けられ、前記識別部により識別された硬貨のうち特定の金種の硬貨を釣銭として収納する釣銭収納繰出部と、前記筐体の内部から外部に硬貨を投出するための投出口と、を有する貨幣釣銭機と、エアシュータ用収納部材の搬送を行うエアシュータと、前記貨幣釣銭機とは別個に設けられ、前記エアシュータに接続された識別機であって、当該識別機の内部に投入された硬貨の識別を行う識別部と、前記識別部により識別された硬貨を、前記エアシュータにより搬送されるべきエアシュータ用収納部材に収納する収納機構と、を有する識別機と、前記貨幣釣銭機から投出された硬貨に係る情報および前記識別機の前記識別部による硬貨の識別結果に係る情報がそれぞれ送られるようになっており、両者の情報が一致するか否かを判断する制御部と、を備えたことを特徴とする貨幣処理システムである。
【００２４】
このような貨幣処理システムによれば、制御部は、貨幣釣銭機から投出された硬貨に係る情報および識別機の識別部による硬貨の識別結果に係る情報がそれぞれ送られるようになっており、両者の情報が一致するか否かを判断するようになっている。このため、貨幣釣銭機から投出された硬貨が識別機の収納機構によりエアシュータ用収納部材に適切に収納されたか否かを判断することができる。
【００２５】
本発明は、貨幣釣銭機において釣銭として使用されるべき紙幣を含む紙葉類を当該貨幣釣銭機の内部に投入する工程と、前記貨幣釣銭機の識別部により、当該貨幣釣銭機の内部に投入された紙葉類の識別を行う工程と、前記貨幣釣銭機において釣銭として使用されるべき紙幣以外の紙葉類を前記貨幣釣銭機とは別個に設けられた識別機の識別部により識別する工程と、前記識別機の前記識別部により識別された紙葉類をエアシュータ用収納部材に収納する工程と、紙葉類が収納されたエアシュータ用収納部材をエアシュータにより前記貨幣釣銭機とは別の装置に搬送する工程と、前記貨幣釣銭機の内部に収納された紙葉類に係る情報および前記識別機の前記識別部による紙葉類の識別結果に係る情報を合算することにより紙葉類の入金額を算出する工程と、を備えたことを特徴とする貨幣処理方法である。
【００２６】
本発明は、貨幣釣銭機の内部に紙葉類を投入する工程と、前記貨幣釣銭機の識別部により、当該貨幣釣銭機の内部に投入された紙葉類の識別を行い、前記識別部による識別結果に基づいて、前記貨幣釣銭機において釣銭として使用されるべき紙幣を前記貨幣釣銭機の内部に収納するとともにそれ以外の紙葉類を前記貨幣釣銭機の外部に投出する工程と、前記貨幣釣銭機の外部に投出された紙葉類を前記貨幣釣銭機とは別個に設けられた識別機の識別部により識別する工程と、前記識別機の前記識別部により識別された紙葉類をエアシュータ用収納部材に収納する工程と、紙葉類が収納されたエアシュータ用収納部材をエアシュータにより前記貨幣釣銭機とは別の装置に搬送する工程と、前記貨幣釣銭機から投出された紙葉類に係る情報および前記識別機の前記識別部による紙葉類の識別結果に係る情報を比較し、両者の情報が一致するか否かを判断する工程と、を備えたことを特徴とする貨幣処理方法である。
【００２７】
本発明は、貨幣釣銭機において釣銭として使用されるべき硬貨を当該貨幣釣銭機の内部に投入する工程と、前記貨幣釣銭機の識別部により、当該貨幣釣銭機の内部に投入された硬貨の識別を行う工程と、前記貨幣釣銭機において釣銭として使用されるべき硬貨以外の硬貨を前記貨幣釣銭機とは別個に設けられた識別機の識別部により識別する工程と、前記識別機の前記識別部により識別された硬貨をエアシュータ用収納部材に収納する工程と、硬貨が収納されたエアシュータ用収納部材をエアシュータにより前記貨幣釣銭機とは別の装置に搬送する工程と、前記貨幣釣銭機の内部に収納された硬貨に係る情報および前記識別機の前記識別部による硬貨の識別結果に係る情報を合算することにより硬貨の入金額を算出する工程と、を備えたことを特徴とする貨幣処理方法である。
【００２８】
本発明は、貨幣釣銭機の内部に硬貨を投入する工程と、前記貨幣釣銭機の識別部により、当該貨幣釣銭機の内部に投入された硬貨の識別を行い、前記識別部による識別結果に基づいて、前記貨幣釣銭機において釣銭として使用されるべき硬貨を前記貨幣釣銭機の内部に収納するとともにそれ以外の硬貨を前記貨幣釣銭機の外部に投出する工程と、前記貨幣釣銭機の外部に投出された硬貨を前記貨幣釣銭機とは別個に設けられた識別機の識別部により識別する工程と、前記識別機の前記識別部により識別された硬貨をエアシュータ用収納部材に収納する工程と、硬貨が収納されたエアシュータ用収納部材をエアシュータにより前記貨幣釣銭機とは別の装置に搬送する工程と、前記貨幣釣銭機から投出された硬貨の情報および前記識別機の前記識別部による硬貨の識別結果に係る情報を比較し、両者の情報が一致するか否かを判断する工程と、を備えたことを特徴とする貨幣処理方法である。
【発明の効果】
【００２９】
本発明の貨幣処理システムおよび貨幣処理方法によれば、貨幣釣銭機に釣銭として収納される貨幣等やエアシュータにより貨幣釣銭機とは別の装置に搬送される貨幣等について、その在高を確実に管理することができる。
【図面の簡単な説明】
【００３０】
【図１】本発明の一の実施の形態による貨幣処理システムの構成を概略的に示す概略構成図である。
【図２】図１に示す貨幣処理システムにおける貨幣釣銭機および識別機の構成を示す構成図である。
【図３】図１に示す貨幣処理システムにおけるエアシュータにより搬送される収納部材の構成を示す概略斜視図である。
【図４】（ａ）〜（ｃ）は、図２に示す貨幣釣銭機における収納機構の構成を示す斜視図であって、収納機構により紙葉類が収納部材に収納される動作を順に示す図である。
【図５】（ａ）〜（ｄ）は、図４に示す収納機構の上面図であって、収納機構により紙葉類が収納部材に収納される動作を順に示す図である。
【図６】図１に示す貨幣処理システムの制御ブロック図である。
【図７】図１に示す貨幣処理システムの他の制御ブロック図である。
【図８】図１に示す貨幣処理システムの更に他の制御ブロック図である。
【図９】図１に示す貨幣処理システムの動作を示すフローチャートである。
【図１０】図９に示すフローチャートにおける貨幣釣銭機の動作をより詳細に示すフローチャートである。
【図１１】変形例に係る収納部材の構成を示す概略斜視図である。
【図１２】変形例に係る収納部材および収納機構の構成を示す構成図である。
【図１３】図１に示す貨幣処理システムの他の動作を示すフローチャートである。
【図１４】変形例に係る、釣銭として硬貨の出金を行う貨幣釣銭機を有する貨幣処理システムの構成を示す構成図である。
【図１５】図１４に示す貨幣処理システムの制御ブロック図である。
【発明を実施するための形態】
【００３１】
以下、図面を参照して本発明の一の実施の形態について説明する。図１乃至図１０は、本実施の形態に係る貨幣処理システムを示す図である。
【００３２】
まず、本実施の形態による貨幣処理システム１０の構成について図１を用いて説明する。図１に示すように、出納室１７には金庫１２が設けられており、また、この出納室１７とは別の場所に配置されたレジライン１８には複数の貨幣釣銭機２０が設けられている。レジライン１８において、各貨幣釣銭機２０にはそれぞれ対応する識別機４０が設けられている。図１に示すように、各識別機４０は、それぞれ対応する各貨幣釣銭機２０とは別個に設けられている。そして、各識別機４０と金庫１２との間にはエアシュータ（気送管システム）１４が設置されている。より具体的には、エアシュータ１４は、各識別機４０および金庫１２にそれぞれ接続されたエアチューブを有しており、紙幣や有価証券等の紙葉類、または硬貨が収納された円筒状の収納部材（カプセル）１６がエアチューブ内で空気圧により各識別機４０と金庫１２との間で搬送されるようになっている。
【００３３】
更に詳しく説明すると、例えばレジライン１８に設けられた貨幣釣銭機２０から、出納室１７に設けられた金庫１２に紙幣や硬貨等を搬送してこの金庫１２に搬送された紙幣や硬貨等を回収したい場合には、回収されるべき紙幣や硬貨等が、各貨幣釣銭機２０に対応する識別機４０において収納部材１６に収納され、この収納部材１６がエアシュータ１４により各識別機４０から金庫１２に搬送され、出納室１７において収納部材１６から紙幣や硬貨等が取り出されてこの取り出された紙幣や硬貨等が回収される。一方、例えば金庫１２に保管された紙幣や硬貨等を各貨幣釣銭機２０に釣銭として補充したい場合には、補充されるべき紙幣や硬貨が金庫１２において収納部材１６に収納され、この収納部材１６がエアシュータ１４により金庫１２から各貨幣釣銭機２０に対応する識別機４０の近傍に搬送され、レジライン１８において収納部材１６から紙幣や硬貨等が取り出されてこの取り出された紙幣や硬貨等が各貨幣釣銭機２０に釣銭として収納される。
【００３４】
エアシュータ１４により搬送される収納部材１６の構成について、図３を用いて詳細に説明する。図３（ａ）〜（ｃ）は、収納部材１６の様々な構成例を示す斜視図である。収納部材１６としては、様々なタイプのものを用いることができるが、一例として、図３（ａ）に示すような収納部材１６が用いられる。図３（ａ）に示す収納部材１６は、中空の円筒形状のものからなり、側面には長手方向に延びる細長いスリット１６ａが設けられている。このスリット１６ａの長さは、収納部材１６に収納されるべき紙葉類の長さよりも大きくなっており、当該スリット１６ａを介して収納部材１６の内部に紙葉類が投入されるようになっている。
【００３５】
また、収納部材１６の他の構成例を図３（ｂ）（ｃ）に示す。図３（ｂ）（ｃ）に示すような収納部材１６では、当該収納部材１６の側面にスリット１６ａを設ける代わりに、収納部材１６の側面に開口１６ｃを設けるとともにこの開口１６ｃを塞ぐような左右一対の扉１６ｂを設けている。左右一対の扉１６ｂは、図３（ｃ）に示すようにそれぞれ収納部材１６の内側に開くよう移動可能となっており、各扉１６ｂが収納部材１６の内側に移動することにより開口１６ｃを介して紙葉類を収納部材１６の内部に投入することができるようになる。これらの扉１６ｂにはそれぞれバネが設けられており、各バネにより各扉１６ｂに対して常に閉方向に働く力が付勢されるようになっている。このため、各扉１６ｂを開く際には、これらの扉１６ｂに設けられたバネの収縮力に逆らって各扉１６ｂを収納部材１６の内側に移動させることとなる。
【００３６】
また、図３（ａ）〜（ｃ）に示すように、収納部材１６には例えばＩＣタグ等からなる記憶部１６ｍが設けられている。この記憶部１６ｍには、対応する貨幣釣銭機２０のシリアル番号や、収納部材１６に収納された紙葉類の情報、具体的には紙葉類の券種（紙幣、有価証券（例えば小切手や商品券）、ＩＤ媒体（例えばレシート）等）や金種（紙葉類が紙幣である場合）、券種毎や金種毎の収納枚数、正損情報、記番号等が記憶されるようになっている。
【００３７】
次に、貨幣釣銭機２０および識別機４０の具体的な構成について図２、図４および図５を用いて説明する。なお、図２、図４および図５においては、貨幣釣銭機２０として紙幣釣銭機を用い、識別機４０として紙幣を含む紙葉類の識別を行うものを用いた場合について説明している。貨幣釣銭機２０や識別機４０として硬貨釣銭機や硬貨識別機を用いた場合の態様については後に説明する。
【００３８】
図２に示すように、貨幣釣銭機２０は、略直方体形状の筐体２０ａと、筐体２０ａの外部から内部に紙幣や有価証券等の紙葉類を投入するための投入口２２と、筐体２０ａの内部に設けられ、投入口２２により筐体２０ａの内部に投入された紙葉類を１枚ずつ搬送する搬送部２４と、搬送部２４に接続され、筐体２０ａの内部から外部に紙葉類を投出するための投出口２８と、を備えている。また、図２に示すように、搬送部２４にはリジェクト口２９が接続されており、搬送部２４からリジェクト口２９に送られたリジェクト紙葉類（後述）は筐体２０ａの外部から操作者が取り出すことができるようになっている。
【００３９】
投入口２２には、当該投入口２２に投入された紙葉類を筐体２０ａの内部に１枚ずつ繰り出す繰出機構２２ａが設けられている。また、搬送部２４には識別部２６が設けられており、この識別部２６により、筐体２０ａの内部に投入された紙葉類の識別が行われるようになっている。また、筐体２０ａの内部には４つの釣銭収納繰出部３０が設けられており、各釣銭収納繰出部３０はそれぞれ搬送部２４に接続されている。そして、識別部２６により識別された紙葉類のうち特定の金種の紙幣が釣銭として各釣銭収納繰出部３０に金種別に収納されるようになっている。また、各釣銭収納繰出部３０は、当該釣銭収納繰出部３０に収納された紙幣を搬送部２４に繰り出すことができるようになっている。
【００４０】
また、筐体２０ａの内部には一時保留部３２が設けられており、この一時保留部３２は搬送部２４に接続されている。そして、投入口２２により筐体２０ａの内部に投入され識別部２６により識別された紙葉類は一時保留部３２に一時的に保留されるようになっている。また、一時保留部３２は、当該一時保留部３２に保留された紙葉類を搬送部２４に繰り出すことができるようになっている。
【００４１】
各釣銭収納繰出部３０および一時保留部３２は、それぞれドラム式の収納繰出機構を有している。より詳細には、各釣銭収納繰出部３０および一時保留部３２には、それぞれ正逆両方向に回転可能なドラムが設けられており、各ドラムに一対のテープが巻き取られるようになっている。そして、搬送部２４から各釣銭収納繰出部３０および一時保留部３２の各々に送られた紙葉類は、この一対のテープの間に挟まれた状態で１枚ずつ順次ドラムにより巻き取られて収納されるようになっている。一方、紙葉類の繰り出しを行う際には、各ドラムが収納の際の回転方向とは反対方向に回転することにより、各ドラムに巻き取られた一対のテープがこのドラムから解放され、一対のテープの間に挟まれた紙葉類は１枚ずつ搬送部２４に繰り出されることとなる。
【００４２】
なお、各釣銭収納繰出部３０および一時保留部３２は、上述のような、ドラムおよび一対のテープからなり紙葉類が一対のテープの間に挟まれた状態でこの一対のテープごとドラムにより巻き取られるような構成のものに限定されることはなく、他の構成とすることもできる。例えば、各釣銭収納繰出部３０および一時保留部３２をスタッカ式（積層式）のものとしてもよい。
【００４３】
また、図２に示すように、識別機４０は、略直方体形状の筐体４０ａと、筐体４０ａの外部から内部に紙幣や有価証券等の紙葉類を投入するための投入口４２と、筐体４０ａの内部に設けられ、投入口４２により筐体４０ａの内部に投入された紙葉類を１枚ずつ搬送する搬送部４４と、を備えている。図２に示すように、エアシュータ１４の端部は、識別機４０の筐体４０ａの外側面の近傍に設けられている。あるいは、エアシュータ１４の端部は、識別機４０の筐体４０ａの外側面に取り付けられていてもよい。また、図２に示すように、識別機４０の筐体４０ａの内部において搬送部４４の下流側端部の近傍には収納機構４８が設けられている。この収納機構４８は、搬送部４４により搬送され識別部４６により識別が行われた、図２において参照符号Ｓが付された紙葉類を、識別機４０の近傍におけるエアシュータ１４の端部に待機しており当該エアシュータ１４により搬送されるべき収納部材１６に、収納するようになっている。識別機４０に設けられた収納機構４８の構成の詳細について、図４および図５を用いて以下に説明する。
【００４４】
図４（ａ）〜（ｃ）は、識別機４０に設けられた収納機構４８の構成を示す斜視図であって、当該収納機構４８により紙葉類Ｓが収納部材１６に収納される動作を順に示す図である。また、図５（ａ）〜（ｄ）は、図４に示す収納機構４８の上面図であって、当該収納機構４８により紙葉類Ｓが収納部材１６に収納される動作を順に示す図である。なお、図４および図５に示すような例では、収納部材１６として、図３（ａ）に示すようなスリット１６ａが側面に設けられたものを使用している。図４および図５に示すように、収納機構４８は、搬送部４４の下流側端部に搬送された１枚の紙葉類Ｓを、エアシュータ１４の端部に待機している収納部材１６側に押し出す押し出し部材４８ａを有している。
【００４５】
収納機構４８により紙葉類Ｓを収納部材１６に収納する動作について以下に説明する。図４（ａ）および図５（ａ）に示すように、識別機４０において搬送部４４により搬送され識別部４６により識別が行われた紙葉類Ｓは、立位状態で搬送部４４の下流側端部の近傍の位置に保留される。その後、押し出し部材４８ａは、保留されている１枚の紙葉類Ｓに向かって移動し、この紙葉類Ｓを収納部材１６側に押し出す。具体的には、図４（ｂ）および図５（ｂ）に示すように、紙葉類Ｓが押し出し部材４８ａにより押し出されると、この紙葉類Ｓは縦に２つ折りとなり、２つ折りとなった紙葉類Ｓは押し出し部材４８ａにより収納部材１６のスリット１６ａ内に押し込まれる（図４（ｃ）および図５（ｃ）参照）。そして、押し出し部材４８ａが２つ折りになった紙葉類Ｓを更に収納部材１６内に押し込むと、図５（ｄ）に示すように、この紙葉類Ｓは収納部材１６内に完全に収納されることとなる。押し出し部材４８ａは、図２の参照符号Ｓに示されるような位置に紙葉類が送られる度に、この紙葉類を収納部材１６の内部に収納するようになっている。
【００４６】
図４および図５を用いて収納機構４８の一の構成例について説明したが、搬送部４４から送られた紙葉類を、識別機４０の近傍におけるエアシュータ１４の端部で待機している収納部材１６に収納することができるものであれば、収納機構４８として、図４および図５に示す構成以外のものを用いてもよい。
【００４７】
図６に示すように、貨幣釣銭機２０および識別機４０はそれぞれ制御装置６０に通信接続されている。制御装置６０は、貨幣釣銭機２０および識別機４０とは離間して設けられている。
【００４８】
また、貨幣釣銭機２０には制御部３４が設けられている。この制御部３４は筐体２０ａの内部に配置されており、繰出機構２２ａ、搬送部２４、識別部２６、釣銭収納繰出部３０、一時保留部３２等の各々に接続されている。そして、識別部２６による紙葉類の識別情報に係る信号が制御部３４に送られるとともに、制御部３４は繰出機構２２ａ、搬送部２４、釣銭収納繰出部３０、一時保留部３２等の各構成要素に指令信号を送りこれらの構成要素の制御を行うようになっている。制御部３４による具体的な制御内容については後述する。
【００４９】
また、図６に示すように、制御部３４にはインターフェース３６が接続されており、このインターフェース３６を介して制御部３４は制御装置６０と信号の送受信を行うことができるようになっている。また、図６に示すように、識別機４０の搬送部４４、識別部４６および収納機構４８等はそれぞれ制御装置６０に直接接続されており、識別部４６による紙葉類の識別情報に係る信号が制御装置６０に送られるとともに、制御装置６０は搬送部４４や収納機構４８に指令信号を送りこれらの搬送部４４や収納機構４８の制御を行うようになっている。制御装置６０による具体的な制御内容については後述する。また、制御装置６０は上位装置等に通信接続されており、この制御装置６０は、上位装置等と信号の送受信を行うことができるようになっている。上位装置としては、レジライン１８に設けられたＰＯＳレジスタや、出納室１７に設けられた在高管理ソフトウェア、無線端末等が挙げられる。とりわけ、制御装置６０は出納室１７に設けられた在高管理ソフトウェアと信号の送受信を行うことができるようになっているので、エアシュータ１４により識別機４０から金庫１２に送られた収納部材１６に収納された紙葉類の在高の情報をレジライン１８から出納室１７に送信することが可能となり、出納室１７において実際に収納部材１６から取り出された紙葉類の在高と制御装置６０から送信された情報における紙葉類の在高とを照合することができるようになる。
【００５０】
また、図６に示すように、制御装置６０には報知部６２が設けられている。この報知部６２は、音声または表示、あるいは音声および表示の両方の方法により、操作者に対して様々な報知を行うことができるようになっている。また、制御装置６０には記憶部６４が設けられている。制御装置６０は、識別機４０の識別部４６により識別された紙葉類の合計金額を記憶部６４に記憶させるようになっている。
【００５１】
また、図６に示すように、識別機４０の収納機構４８には、収納部材１６の記憶部１６ｍに情報を書き込むための情報書き込み部４８ｗが設けられている。情報書き込み部４８ｗは、収納部材１６の記憶部１６ｍに対して、貨幣釣銭機２０のシリアル番号や、収納部材１６に収納された紙葉類の情報、具体的には紙葉類の券種（紙幣、有価証券（例えば小切手や商品券）、ＩＤ媒体（例えばレシート）等）や金種（紙葉類が紙幣である場合）、券種毎や金種毎の収納枚数、正損情報、記番号等を書き込むようになっている。
【００５２】
なお、制御装置６０にエアシュータ１４も接続され、この制御装置６０によりエアシュータ１４の制御が行われるようになっていてもよい。この場合、制御装置６０は、貨幣釣銭機２０や識別機４０における動作が完了した後に、エアシュータ１４を制御して収納部材１６を識別機４０から金庫１２に搬送させることとなる。
【００５３】
次に、このような構成からなる貨幣処理システム１０の動作について、図９および図１０に示すフローチャートを用いて説明する。
【００５４】
操作者は、まず、処理すべき対象となる紙葉類の中から、貨幣釣銭機２０に釣銭として収納されるべき紙幣を手動で選別する。より具体的には、貨幣釣銭機２０では、釣銭として貨幣釣銭機２０内に収納されるべき紙幣の金種が設定されており、操作者は、この設定されている金種の紙幣を、処理すべき対象となる紙葉類から選別する。なお、残りの紙葉類については、後述するように収納部材１６に収納してエアシュータ１４により出納室１７に搬送することとなる。そして、図９のＳＴＥＰ１に示すように、貨幣釣銭機２０に釣銭として収納されるべき紙幣として選別された紙幣を、貨幣釣銭機２０に入金する。
【００５５】
貨幣釣銭機２０への紙幣の入金処理について、図１０に示すフローチャートを用いてより詳細に説明する。
【００５６】
貨幣釣銭機２０において入金処理を行うにあたり、まず、操作者は、貨幣釣銭機２０に釣銭として収納されるべき紙幣として選別された紙幣を貨幣釣銭機２０の投入口２２に投入する。この際に、操作者による選別において誤りが生じ、貨幣釣銭機２０に釣銭として収納されるべき紙幣以外の紙葉類が投入口２２に投入される場合もある。また、制御部３４において、釣銭として貨幣釣銭機２０内に収納されるべき紙幣の金種毎の枚数や合計金額等が設定される。
【００５７】
投入口２２に紙葉類が投入された後、操作者が操作部により処理開始の指令を制御部３４に与えると、投入口２２に投入された紙葉類は１枚ずつ繰出機構２２ａにより筐体２０ａの内部に繰り出され、搬送部２４により１枚ずつ搬送される（図１０のＳＴＥＰ１１）。そして、筐体２０ａの内部に繰り出され、搬送部２４により搬送される紙葉類は識別部２６によりその券種（紙幣、有価証券（例えば小切手や商品券）、ＩＤ媒体（例えばレシート）等）、金種（紙葉類が紙幣である場合）、真偽、正損、記番号等が識別される（図１０のＳＴＥＰ１２）。ここで、識別部２６により識別することができなかった紙葉類や、紙幣、有価証券、ＩＤ媒体等ではないと識別された紙葉類、または偽券等であると識別された紙幣は（図１０のＳＴＥＰ１３の「ＹＥＳ」）、リジェクト紙葉類としてリジェクト口２９に搬送され（図１０のＳＴＥＰ１４）、操作者によりリジェクト口２９から取り出されることとなる。
【００５８】
また、識別部２６により識別された紙葉類がリジェクト紙葉類ではない場合には（図１０のＳＴＥＰ１３の「ＮＯ」）、この紙葉類は一時保留部３２に搬送され、この一時保留部３２で一時的に保留される（図１０のＳＴＥＰ１５）。そして、投入口２２から全ての紙葉類が筐体２０ａの内部に投入され、一時保留部３２に一時的に保留されると（図１０のＳＴＥＰ１６の「ＹＥＳ」）、一時保留部３２から紙葉類が搬送部２４に１枚ずつ繰り出される（図１０のＳＴＥＰ１７）。
【００５９】
一時保留部３２から繰り出された紙葉類が、制御部３４において釣銭として設定された所定の金種の紙幣であり、かつ、この繰り出された紙葉類（紙幣）の金種に対応する釣銭が未だ釣銭収納繰出部３０に十分に収納されていない場合には、一時保留部３２から繰り出された紙葉類は釣銭として金種毎に釣銭収納繰出部３０に収納される（図１０のＳＴＥＰ１８の「ＹＥＳ」、ＳＴＥＰ１９）。より具体的には、例えば制御部３４において貨幣釣銭機２０内に釣銭として千円札を１００枚収納させることが設定されていた場合において、一時保留部３２から繰り出された紙葉類が千円札であり、かつ今回の入金処理において釣銭として貨幣釣銭機２０内に収納された千円札が１００枚未満であるときには、一時保留部３２から繰り出された千円札は、千円札に対応する釣銭収納繰出部３０に収納されることとなる。
【００６０】
一方、一時保留部３２から繰り出された紙葉類が、制御部３４において釣銭として設定された所定の金種の紙幣であっても、この繰り出された紙葉類（紙幣）の金種に対応する釣銭が既に釣銭収納繰出部３０に十分に収納されている場合には、一時保留部３２から繰り出された紙葉類はオーバーフロー紙幣として投出口２８に搬送される（図１０のＳＴＥＰ１８の「ＮＯ」、ＳＴＥＰ２０）。より具体的には、例えば制御部３４において貨幣釣銭機２０内に釣銭として千円札を１００枚収納させることが設定されていた場合において、一時保留部３２から繰り出された紙葉類が千円札であり、かつ今回の入金処理において釣銭として貨幣釣銭機２０内に収納された千円札が既に１００枚に達しているときには、一時保留部３２から繰り出された千円札はオーバーフロー紙幣として投出口２８に搬送されることとなる。
【００６１】
また、一時保留部３２から繰り出された紙葉類（紙幣）の金種に対応する釣銭が未だ釣銭収納繰出部３０に十分に収納されていない場合でも、この紙幣の金種に対応する釣銭収納繰出部３０がフル状態またはニアフル状態である場合には、一時保留部３２から繰り出された紙葉類は釣銭収納繰出部３０ではなく投出口２８に搬送されることとなる。また、制御部３４において、投入された紙葉類のうち釣銭として貨幣釣銭機２０内に収納されるべき紙幣の合計金額が設定されている場合には、一時保留部３２から繰り出された紙幣のうち、釣銭として貨幣釣銭機２０内に収納されるべき紙幣の合計金額を超える分については、釣銭収納繰出部３０ではなく投出口２８に搬送される。
【００６２】
また、一時保留部３２から繰り出された紙葉類が、制御部３４において釣銭として設定された所定の金種の紙幣ではない場合には、この紙葉類は投出口２８に搬送される（図１０のＳＴＥＰ１８の「ＮＯ」、ＳＴＥＰ２０）。具体的には、例えば制御部３４において貨幣釣銭機２０内に釣銭として千円札を収納させることが設定されていた場合において、千円札以外の金種の紙幣や、有価証券、ＩＤ媒体等は投出口２８に搬送される。
【００６３】
なお、投出口２８に紙葉類が１枚でも搬送された場合には、報知部６２は、投出口２８に搬送された紙葉類を識別機４０に投入することを操作者に報知するようになっている。すなわち、投出口２８に搬送された紙葉類は、貨幣釣銭機２０において釣銭として受付できない紙葉類の券種として設定されたものであり、このような紙葉類は収納部材１６に収納してエアシュータ１４により出納室１７に搬送することとなるが、貨幣釣銭機２０の投出口２８に搬送された紙葉類は、操作者により取り出すことが忘れがちになるので、報知部６２により操作者に対して報知することが望ましい。
【００６４】
上述のような図１０のＳＴＥＰ１７〜ＳＴＥＰ２０に示される動作は、一時保留部３２から全ての紙葉類が繰り出されるまで行われる（図１０のＳＴＥＰ２１の「ＮＯ」）。一時保留部３２から全ての紙葉類が繰り出され、釣銭収納繰出部３０または投出口２８に搬送されると（図１０のＳＴＥＰ２１の「ＹＥＳ」）、貨幣釣銭機２０における一連の入金処理が終了する。その後、貨幣釣銭機２０の制御部３４は、釣銭収納繰出部３０に釣銭として収納された紙幣の金種毎の枚数および合計金額に係る情報を、制御装置６０に送信する。
【００６５】
なお、貨幣釣銭機２０の制御部３４は、この貨幣釣銭機２０の投入口２２に投入された紙葉類を、釣銭としての紙幣以外の紙葉類も含めて、全て筐体２０ａ内に収納するような受付許可モードで紙葉類の処理を行うこともできるようになっている。すなわち、例えばエアシュータ１４が故障した場合等において、収納部材１６に紙葉類を収納させないような状況が生じた場合には、処理対象となる紙葉類をすべて貨幣釣銭機２０内に収納させるようになっている。
【００６６】
また、上述のような入金処理において、貨幣釣銭機２０に、釣銭としての紙幣以外の紙葉類が収納されるようになっていてもよい。例えば、貨幣釣銭機２０の筐体２０ａ内に、混合収納繰出部（図示せず）が設けられており、投入口２２に投入された紙葉類のうち、釣銭としての紙幣以外の紙葉類は、投出口２８に搬送される代わりにこの混合収納繰出部に収納されるようになっていてもよい。この場合、貨幣釣銭機２０の制御部３４は、混合収納繰出部に収納された紙葉類の情報を含めた、貨幣釣銭機２０に収納された全ての紙葉類に係る情報を、制御装置６０に送信することとなる。なお、この場合、制御部３４に記憶部（図示せず）が設けられており、貨幣釣銭機２０に収納された全ての紙葉類に係る情報を制御部３４の記憶部に記憶させるようになっていてもよい。
【００６７】
次に、図９のＳＴＥＰ２に示すように、操作者は、貨幣釣銭機２０に釣銭として収納された紙幣以外の紙葉類を識別機４０内に１枚ずつ投入し、投入された紙葉類を識別機４０の識別部４６により識別し、識別された紙葉類を収納部材１６に収納する。
【００６８】
より具体的には、操作者は、貨幣釣銭機２０に釣銭として収納された紙幣以外の紙葉類を１枚ずつ識別機４０の投入口４２により当該識別機４０の筐体４０ａ内に投入する。この際に、貨幣釣銭機２０内に一度は投入されたが貨幣釣銭機２０の投出口２８に搬送された紙葉類も、識別機４０の投入口４２により１枚ずつ当該識別機４０の筐体４０ａ内に投入する。筐体４０ａ内に投入された紙葉類は１枚ずつ搬送部４４により搬送され、識別部４６によりその券種（紙幣、有価証券（例えば小切手や商品券）、ＩＤ媒体（例えばレシート）等）、金種（紙葉類が紙幣である場合）、真偽、正損等が識別される。識別部により識別された紙葉類の識別情報は制御装置６０に送られる。制御装置６０は、識別機４０の識別部４６により識別された紙葉類の合計金額を記憶部６４に記憶させるようになっている。
【００６９】
識別部４６により識別された紙葉類は、収納機構４８により、識別機４０の近傍におけるエアシュータ１４の端部に待機している収納部材１６に１枚ずつ収納される。全ての紙葉類が収納部材１６に収納されると、識別機４０における動作が終了する。
【００７０】
その後、図９のＳＴＥＰ３に示すように、制御装置６０は、貨幣釣銭機２０の制御部３４から送られた、貨幣釣銭機２０の内部に収納された紙葉類に係る情報、および識別機４０の識別部４６による紙葉類の識別結果に係る情報を合算する。このことにより、制御装置６０は、紙葉類の入金額（貨幣処理システム１０全体における紙葉類の入金額）を算出する。なお、貨幣釣銭機２０や識別機４０により識別することができない紙葉類については、この紙葉類の明細等のデータを制御装置６０に手入力し、当該紙葉類を収納部材１６に投入してもよい。
【００７１】
次に、エアシュータ１４の動作について説明する。識別機４０の近傍におけるエアシュータ１４の端部に待機している収納部材１６に紙葉類が収納された後、エアシュータ１４は、紙葉類が収納された収納部材１６を空気圧により識別機４０から金庫１２に搬送する。その後、出納室１７において当該金庫１２に搬送された収納部材１６から紙葉類が取り出され、この取り出された紙葉類は金庫１２に収納される。また、制御装置６０と通信接続された在高管理ソフトウェアが出納室１７に設けられている場合には、この在高管理ソフトウェアを用いて、制御装置６０から送信された、収納部材１６に収納された紙葉類の在高と、出納室１７において実際に収納部材１６から取り出された紙葉類の在高との照合が行われる。
【００７２】
以上のように本実施の形態の貨幣処理システム１０によれば、貨幣釣銭機２０とは別個に、エアシュータ１４に接続された識別機４０が設けられており、この識別機４０は、当該識別機４０の内部に投入された紙葉類の識別を行う識別部４６と、識別部４６により識別された紙葉類を、エアシュータ１４により搬送されるべき収納部材１６に収納する収納機構４８と、を有している。また、制御装置６０は、貨幣釣銭機２０に収納された紙葉類に係る情報および識別機４０の識別部４６による紙葉類の識別結果に係る情報がそれぞれ送られるようになっており、両者の情報を合算することにより紙葉類の入金額を算出するようになっている。このように、貨幣釣銭機２０と、エアシュータ１４に接続された識別機４０を用いて貨幣等の管理を行っており、貨幣釣銭機２０および識別機４０はそれぞれ制御装置６０に通信接続されているので、貨幣釣銭機２０に収納される紙葉類（釣銭としての紙幣等）およびエアシュータ１４により貨幣釣銭機２０とは別の装置（例えば、金庫１２等）に搬送される紙葉類について、その合計金額である紙葉類の入金額（貨幣処理システム１０全体における紙葉類の入金額）を確実に管理することができる。
【００７３】
また、本実施の形態の貨幣処理システム１０においては、制御装置６０に設けられ、操作者への報知を行うための報知部６２を更に備え、貨幣釣銭機２０において、受付できない紙葉類の券種および／または紙幣の金種が予め設定されており、当該券種または金種の紙葉類が識別部２６により識別されたときにはこの紙葉類は貨幣釣銭機２０の外部に投出されるようになっており、このときに、制御装置６０は、貨幣釣銭機２０の外部に投出された紙葉類を識別機４０に投入することを報知するよう報知部６２を制御するようになっている。このような報知部６２が設けられていることにより、貨幣釣銭機２０の外部に投出された紙葉類を操作者が識別機４０に投入することを忘れてしまうというトラブルを抑制することができる。
【００７４】
なお、制御装置６０において紙葉類の入金額が算出される（図９のＳＴＥＰ３参照）までは、貨幣釣銭機２０の釣銭収納繰出部３０に収納された紙幣が貨幣釣銭機２０の外部に釣銭として投出されないようになっていてもよい。すなわち、この場合には、紙葉類の入金額が制御装置６０において確定しないと、貨幣釣銭機２０において釣銭を用意できないようになっている。
【００７５】
また、本実施の形態の貨幣処理システム１０においては、制御装置６０は貨幣釣銭機２０および識別機４０とは離間して設けられている。また、制御装置６０には記憶部６４が設けられており、制御装置６０は、識別機４０の識別部４６により識別された紙葉類の合計金額を記憶部６４に記憶させるようになっている。
【００７６】
また、本実施の形態の貨幣処理システム１０においては、収納部材１６には記憶部１６ｍが設けられており、識別機４０の収納機構４８には、当該収納機構４８により収納部材１６に収納された紙葉類の情報を記憶部１６ｍに書き込む情報書き込み部４８ｗが設けられている。より具体的には、情報書き込み部４８ｗは、対応する貨幣釣銭機２０のシリアル番号や、収納部材１６に収納された紙葉類の情報、具体的には紙葉類の券種（紙幣、有価証券（例えば小切手や商品券）、ＩＤ媒体（例えばレシート）等）や金種（紙葉類が紙幣である場合）、券種毎や金種毎の収納枚数、正損情報、記番号等を書き込むようになっている。このことにより、収納部材１６がエアシュータ１４によって出納室１７に送られたときに、出納室１７において記憶部１６ｍに書き込まれた情報を読み取ることによりこの収納部材１６に収納された紙葉類の情報を確認することができるようになる。また、記憶部１６ｍに書き込まれた情報と、制御装置６０から送信された情報とを比較することにより、収納部材１６に収納された紙葉類の在高の照合を行うことができる。
【００７７】
また、本実施の形態の貨幣処理システム１０においては、貨幣釣銭機２０とは別の装置、具体的には例えば金庫１２から、貨幣釣銭機２０において釣銭として使用される紙幣が収納された収納部材１６がエアシュータ１４により識別機４０の近傍に搬送されるようになっていてもよい。この場合には、金庫１２から識別機４０の近傍に搬送された収納部材１６から紙幣を取り出し、この取り出された紙幣を貨幣釣銭機２０内に釣銭として収納させることができるようになる。
【００７８】
また、本実施の形態の貨幣処理方法は、貨幣釣銭機２０において釣銭として使用されるべき紙幣を含む紙葉類を当該貨幣釣銭機２０の内部に投入し、貨幣釣銭機２０の識別部２６により、当該貨幣釣銭機２０の内部に投入された紙葉類の識別を行う工程と、貨幣釣銭機２０において釣銭として使用されるべき紙幣以外の紙葉類を識別機４０の識別部４６により識別し、識別された紙葉類を収納部材１６に収納する工程と、紙葉類が収納された収納部材１６をエアシュータ１４により貨幣釣銭機２０とは別の装置に搬送する工程と、貨幣釣銭機２０の内部に収納された紙葉類に係る情報および識別機４０の識別部４６による紙葉類の識別結果に係る情報を合算することにより紙葉類の入金額を算出する工程と、を備えている。
【００７９】
なお、本実施の形態による貨幣処理システム１０および貨幣処理方法は、上記の態様に限定されるものではなく、様々の変更を加えることができる。
【００８０】
例えば、貨幣釣銭機２０において入金処理が行われる際に、識別部２６により識別された紙葉類が一旦一時保留部３２に保留され、一時保留部３２から繰り出された紙葉類が釣銭収納繰出部３０または投出口２８に搬送される代わりに、識別部２６により識別された紙葉類は一時保留部３２に搬送されずに直接的に釣銭収納繰出部３０または投出口２８に搬送されるようになっていてもよい。
【００８１】
また、図３（ａ）〜（ｃ）に示すような収納部材１６において、スリット１６ａや開口１６ｃを塞ぐ扉が設けられているとともに、この扉がスリット１６ａや開口１６ｃを塞いだときに扉を閉止状態でロックするロック部が設けられていてもよい。このような例について図１１を用いて説明する。図１１に示すような収納部材１６において、開口１６ｃおよび扉１６ｂは、図３（ｃ）に示すものと同様の構成のものとなっている。ここで、図１１に示すような収納部材１６では、各扉１６ｂが開口１６ｃを塞いだときに当該扉１６ｂを閉止状態でロックするロック部１６ｄが設けられている。そして、ロック部１６ｄによる扉１６ｂのロックは、所定の条件でしか解除することができないようになっている。具体的には、金庫１２および貨幣釣銭機２０にそれぞれ設けられたロック解除部（図示せず）のみにより、ロック部１６ｄによる扉１６ｂのロックが解除されるようになっている。このようなロック部１６ｄが収納部材１６に設けられていることにより、収納部材１６から紙葉類が第三者等により故意に取り出されてしまうことを防止することができ、セキュリティ性を向上させることができる。
【００８２】
また、収納部材１６として、図１２に示すような、区分けされた複数の収納空間１６ｅ、１６ｆ、１６ｇを有するものを用いてもよい。この場合、図１２に示すように、収納機構４８は、収納部材１６の各収納空間１６ｅ、１６ｆ、１６ｇにそれぞれ紙葉類Ｓを収納することができるような構成となっている。このことにより、収納部材１６に紙葉類Ｓを例えば券種別や金種別に収納することができるようになる。
【００８３】
また、貨幣処理システム１０の制御ブロック図としては、図６に示すものに限定されることはない。例えば、図６に示す制御装置６０が貨幣釣銭機２０内に配置されていてもよい。また、図７に示すように、識別機４０に制御部５０およびこの制御部５０に接続されたインターフェース５２が設けられており、識別機４０の搬送部４４、識別部４６および収納機構４８はそれぞれ制御部５０に接続されるようになっていてもよい。この場合、インターフェース５２を介して制御部５０は制御装置６０と信号の送受信を行うようになる。
【００８４】
また、図８に示すように、制御装置６０が貨幣釣銭機２０や識別機４０とは別個に設けられておらず、貨幣釣銭機２０の制御部３４が制御装置６０の機能を果たすようになっていてもよい。この場合、制御部３４のインターフェース３６には識別機４０の搬送部４４、識別部４６および収納機構４８がそれぞれ接続されており、識別部４６による紙葉類の識別情報がインターフェース３６を介して制御部３４に送られるとともに、制御部３４はインターフェース３６を介して識別機４０の搬送部４４や収納機構４８の制御を行うようになる。また、インターフェース３６には貨幣釣銭機２０の外部にある上位装置等が接続され、制御部３４は、インターフェース３６を介して上位装置等と信号の送受信を行うことができるようになる。さらに、制御部３４には、報知部６２および記憶部６４が設けられている。図８に示す制御ブロック図においては、これらの報知部６２および記憶部６４も貨幣釣銭機２０の筐体２０ａの内部に設けられている。報知部６２は、音声または表示、あるいは音声および表示の両方の方法により、操作者に対して様々な報知を行うことができるようになっている。また、制御部３４は、識別機４０の識別部４６により識別された紙葉類の合計金額等を含む様々な情報を記憶部６４に記憶させるようになっている。
【００８５】
また、貨幣処理システム１０の動作としては、図９および図１０におけるフローチャートに示すようなものに限定されることはない。代わりに、貨幣処理システム１０において、図１３に示すような動作が行われるようになっていてもよい。図１３のフローチャートに示す動作について、図６に示す制御ブロック図のような構成を有する貨幣処理システム１０が用いられた場合を一例として、以下に説明する。
【００８６】
操作者は、まず、図１３のＳＴＥＰ３１に示すように、処理すべき対象となる紙葉類を全て貨幣釣銭機２０の投入口２２に投入する。そして、貨幣釣銭機２０において、投入口２２に投入された紙葉類は、図１０のフローチャートに示すような処理が行われる。このことにより、貨幣釣銭機２０に釣銭として収納されるべき紙幣は釣銭収納繰出部３０に収納されるとともに、それ以外の紙葉類は貨幣釣銭機２０の投出口２８に搬送される。なお、この際に、貨幣釣銭機２０において、当該貨幣釣銭機２０に投入された紙葉類のうち貨幣釣銭機２０において釣銭として使用される紙幣以外のものは、筐体２０ａ内に設けられた混合収納繰出部（図示せず）等に一旦収納され、貨幣釣銭機２０において紙幣の入金額が確定された後に、混合収納繰出部に一旦収納された紙葉類がこの混合収納繰出部から１枚ずつ繰り出されて貨幣釣銭機２０の外部に投出されるようになっていてもよい。貨幣釣銭機２０の投出口２８に紙葉類が全て搬送されると、制御装置６０は、貨幣釣銭機２０の外部に投出された紙葉類を識別機４０に投入することを報知するよう報知部６２を制御するようになっている。
【００８７】
貨幣釣銭機２０における、釣銭としての紙幣の入金処理が終了すると、貨幣釣銭機２０の投出口２８に搬送された紙葉類の情報、具体的には券種、金種、ならびに券種や金種毎の枚数等の情報が制御部３４から制御装置６０に送られる。
【００８８】
次に、操作者は、図１３のＳＴＥＰ３２に示すように、貨幣釣銭機２０の投出口２８から紙葉類を取り出し、この取り出された紙葉類を識別機４０内に１枚ずつ投入し、投入された紙葉類を識別機４０の識別部４６により識別し、識別された紙葉類を収納部材１６に収納する。
【００８９】
より具体的には、操作者は、貨幣釣銭機２０の投出口２８から取り出された紙葉類を１枚ずつ識別機４０の投入口４２により当該識別機４０の筐体４０ａ内に投入する。筐体４０ａ内に投入された紙葉類は１枚ずつ搬送部４４により搬送され、識別部４６によりその券種（紙幣、有価証券（例えば小切手や商品券）、ＩＤ媒体（例えばレシート）等）、金種（紙葉類が紙幣である場合）、真偽、正損等が識別される。識別部４６により識別された紙葉類の識別情報は制御装置６０に送られる。制御装置６０は、識別機４０の識別部４６により識別された紙葉類の合計金額を記憶部６４に記憶させる。
【００９０】
識別部４６により識別された紙葉類は、収納機構４８により、識別機４０の近傍におけるエアシュータ１４の端部に待機している収納部材１６に１枚ずつ収納される。全ての紙葉類が収納部材１６に収納されると、識別機４０における動作が終了する。
【００９１】
その後、図１３のＳＴＥＰ３３に示すように、制御装置６０は、貨幣釣銭機２０から投出された紙葉類に係る情報および識別機４０の識別部４６による紙葉類の識別結果に係る情報が一致するか否かを判断する。ここで、両者の情報が一致する場合には（図１３のＳＴＥＰ３４の「ＹＥＳ」参照）、貨幣釣銭機２０から投出された紙葉類が全て、識別機４０の収納機構４８により収納部材１６に適切に収納されたと判断され、エアシュータ１４により、紙葉類が収納された収納部材１６が識別機４０から金庫１２に搬送される（図１３のＳＴＥＰ３５）。
【００９２】
以上のように図１３のフローチャートに示すような動作を行う貨幣処理システム１０によれば、制御装置６０は、貨幣釣銭機２０から投出された紙葉類に係る情報および識別機４０の識別部４６による紙葉類の識別結果に係る情報がそれぞれ送られるようになっており、両者の情報が一致するか否かを判断するようになっている。このため、貨幣釣銭機２０から投出された紙葉類が識別機４０の収納機構４８により収納部材１６に適切に収納されたか否かを判断することができる。
【００９３】
また、図１３のフローチャートに示すような動作を行う貨幣処理システム１０においては、制御装置６０は、貨幣釣銭機２０から投出された紙葉類に係る情報および識別機４０の識別部４６による紙葉類の識別結果に係る情報が一致しない場合には、収納部材１６の搬送を行わないようエアシュータ１４を制御するようになっている（図１３のＳＴＥＰ３４の「ＮＯ」参照）。このため、貨幣釣銭機２０から投出された紙葉類が収納部材１６に適切に収納された場合のみ、収納部材１６の搬送を行うことができるようになる。
【００９４】
また、図１３のフローチャートに示すような動作を行う貨幣処理システム１０においては、前述のように、貨幣釣銭機２０において、当該貨幣釣銭機２０に投入された紙葉類のうち貨幣釣銭機２０において釣銭として使用される紙幣以外のものは、貨幣釣銭機２０において紙幣の入金額が確定された後に貨幣釣銭機２０の外部に投出されるようになっていてもよい。このときに、制御装置６０は、貨幣釣銭機２０の外部に投出された紙葉類を識別機４０に投入することを報知するよう報知部６２を制御するようになっている。
【００９５】
また、本発明の貨幣処理システムは、紙幣や有価証券等を含む紙葉類を処理するものに限定されることはない。本発明の貨幣処理システムとして、紙葉類ではなく硬貨の処理を行うものを用いてもよい。以下、釣銭として紙幣ではなく硬貨を出金するような貨幣処理機を備えた貨幣処理システムについて図１４および図１５を用いて説明する。
【００９６】
図１４および図１５に示すように、変形例に係る貨幣処理システムは、釣銭として貨幣を出金するような貨幣釣銭機７０と、この貨幣釣銭機７０とは別個に設けられた識別機９０と、貨幣釣銭機７０および識別機９０にそれぞれ接続された制御装置１００とを備えている。
【００９７】
図１４に示すように、貨幣釣銭機７０は、略直方体形状の筐体７０ａと、筐体７０ａの外部から内部に硬貨を投入するための投入口７２と、筐体７０ａの内部に設けられ、投入口７２から投入された硬貨が収納されるとともに収納された硬貨を１枚ずつ繰り出す繰出部７３と、筐体７０ａの内部に設けられ、繰出部７３により繰り出された硬貨を１枚ずつ搬送する搬送部７４と、を備えている。
【００９８】
また、搬送部７４には識別部７６が設けられており、この識別部７６により、繰出部７３から繰り出された硬貨の識別が行われるようになっている。また、筐体７０ａの内部には例えば６つの釣銭収納繰出部８０が設けられており、各釣銭収納繰出部８０には搬送部７４から硬貨が金種別に送られるようになっている。各釣銭収納繰出部８０の下方には搬送ベルト７５が設けられており、釣銭の出金処理を行う際には、各釣銭収納繰出部８０に収納された硬貨が搬送ベルト７５に送られるようになっている。搬送ベルト７５の端部には投出口７８が設けられており、各釣銭収納繰出部８０から搬送ベルト７５に送られた硬貨は搬送ベルト７５により投出口７８に搬送されるようになっている。操作者は、投出口７８に送られた硬貨を筐体７０ａの外部から取り出すことができるようになっている。
【００９９】
また、搬送部７４において識別部７６の下流側にはリジェクト硬貨シュート７４ａが設けられており、識別部７６により識別することができなかった硬貨や、識別部７６により識別されたがリジェクトすべきであると判断されたリジェクト硬貨は、搬送部７４からリジェクト硬貨シュート７４ａに送られ、このリジェクト硬貨シュート７４ａにより搬送ベルト７５に直接送られるようになっている。すなわち、リジェクト硬貨は各釣銭収納繰出部８０に収納されることなく、投出口７８に送られるようになっている。
【０１００】
次に、識別機９０の構成について図１４を用いて説明する。図１４に示すように、識別機９０は、略直方体形状の筐体９０ａと、筐体９０ａの外部から内部に硬貨を投入するための投入口９２と、筐体９０ａの内部に設けられ、投入口９２から投入された硬貨が収納されるとともに収納された硬貨を１枚ずつ繰り出す繰出部９４と、筐体９０ａの内部に設けられ、繰出部９４により繰り出された硬貨を１枚ずつ搬送する搬送部９５と、を備えている。また、図１４に示すように、エアシュータ１４の端部は、識別機９０の筐体９０ａの外側面の近傍に設けられている。あるいは、エアシュータ１４の端部は、識別機９０の筐体９０ａの外側面に取り付けられていてもよい。
【０１０１】
また、搬送部９５には識別部９６が設けられており、この識別部９６により、繰出部９４から繰り出された硬貨の識別が行われるようになっている。また、識別機９０の筐体９０ａの内部において搬送部９５の下流側端部の近傍には収納機構９８が設けられている。この収納機構９８は、搬送部９５により搬送され識別部９６により識別が行われた硬貨を、識別機９０の近傍におけるエアシュータ１４の端部に待機しており当該エアシュータ１４により搬送されるべき収納部材１６に、収納するようになっている。
【０１０２】
図１５に示すように、貨幣釣銭機７０および識別機９０はそれぞれ制御装置１００に通信接続されている。制御装置１００は、貨幣釣銭機７０および識別機９０とは離間して設けられている。
【０１０３】
また、貨幣釣銭機７０には制御部８２が設けられている。この制御部８２は筐体７０ａの内部に配置されており、繰出部７３、搬送部７４、識別部７６、釣銭収納繰出部８０、搬送ベルト７５等の各々に接続されている。そして、識別部７６による硬貨の識別情報に係る信号が制御部８２に送られるとともに、制御部８２は繰出部７３、搬送部７４、釣銭収納繰出部８０、搬送ベルト７５等の各構成要素に指令信号を送りこれらの構成要素の制御を行うようになっている。
【０１０４】
また、図１５に示すように、制御部８２にはインターフェース８４が接続されており、このインターフェース８４を介して制御部８２は制御装置１００と信号の送受信を行うことができるようになっている。また、図１５に示すように、識別機９０の繰出部９４、搬送部９５、識別部９６および収納機構９８等はそれぞれ制御装置１００に直接接続されており、識別部９６による硬貨の識別情報に係る信号が制御装置１００に送られるとともに、制御装置１００は繰出部９４、搬送部９５および収納機構９８に指令信号を送りこれらの繰出部９４、搬送部９５および収納機構９８の制御をそれぞれ行うようになっている。また、制御装置１００は上位装置等に通信接続されており、この制御装置１００は、上位装置等と信号の送受信を行うことができるようになっている。
【０１０５】
また、図１５に示すように、制御装置１００には報知部１０２が設けられている。この報知部１０２は、音声または表示、あるいは音声および表示の両方の方法により、操作者に対して様々な報知を行うことができるようになっている。また、制御装置１００には記憶部１０４が設けられている。制御装置１００は、識別機９０の識別部９６により識別された硬貨の合計金額を記憶部１０４に記憶させるようになっている。
【０１０６】
また、図１５に示すように、識別機９０の収納機構９８には、収納部材１６の記憶部１６ｍに情報を書き込むための情報書き込み部９８ｗが設けられている。情報書き込み部９８ｗは、収納部材１６の記憶部１６ｍに対して、貨幣釣銭機７０のシリアル番号や、収納部材１６に収納された硬貨の情報、具体的には硬貨の金種や金種毎や金種毎の収納枚数を書き込むようになっている。
【０１０７】
なお、図１４に示すような貨幣処理システムにおける制御ブロック図は図１５に示すものに限定されることはない。例えば、図１５に示す制御装置１００が貨幣釣銭機７０内に配置されていてもよい。また、図７に示す制御ブロック図と同様に、識別機９０に制御部およびインターフェースが設けられており、識別機９０の制御部がインターフェースを介して制御装置１００と信号の送受信を行うようになっていてもよい。また、図８に示す制御ブロック図と同様に、制御装置１００が貨幣釣銭機７０や識別機９０とは別個に設けられておらず、貨幣釣銭機７０の制御部８２が制御装置１００の機能を果たすようになっていてもよい。
【０１０８】
次に、図１４および図１５に示すような貨幣処理システムの動作を説明する。以下に示す貨幣処理システムの動作では、図９のフローチャートに示される動作に類似する動作が行われる。
【０１０９】
操作者は、まず、処理すべき対象となる硬貨の中から、貨幣釣銭機７０に釣銭として収納されるべき硬貨を手動で選別する。より具体的には、貨幣釣銭機７０では、釣銭として貨幣釣銭機７０内に収納されるべき硬貨の金種が設定されており、操作者は、この設定されている金種の硬貨を、処理すべき対象となる硬貨から選別する。なお、残りの硬貨については、後述するように収納部材１６に収納してエアシュータ１４により出納室１７に搬送することとなる。そして、貨幣釣銭機７０に釣銭として収納されるべき硬貨として選別された硬貨を、貨幣釣銭機７０に入金する。
【０１１０】
貨幣釣銭機７０への硬貨の入金処理について以下に詳細に説明する。
【０１１１】
貨幣釣銭機７０において入金処理を行うにあたり、まず、操作者は、貨幣釣銭機７０に釣銭として収納されるべき硬貨として選別された硬貨を貨幣釣銭機７０の投入口７２に一括して投入する。この際に、操作者による選別において誤りが生じ、貨幣釣銭機７０に釣銭として収納されるべき硬貨以外の硬貨が投入口７２に投入される場合もある。また、制御部８２において、釣銭として貨幣釣銭機７０内に収納されるべき硬貨の金種毎の枚数や合計金額等が設定される。
【０１１２】
投入口７２に硬貨が一括して投入された後、操作者が操作部により処理開始の指令を制御部８２に与えると、投入口７２に投入されて繰出部７３に収納されている硬貨は１枚ずつ搬送部７４に繰り出され、搬送部７４により１枚ずつ搬送され、識別部７６によりその金種、真偽、正損等が識別される。ここで、識別部７６により識別することができなかった硬貨や、識別部７６により識別されたが釣銭として釣銭収納繰出部８０に収納されるべき硬貨ではないと判断された硬貨は、リジェクト硬貨シュート７４ａに送られ、このリジェクト硬貨シュート７４ａを落下して搬送ベルト７５上に送られる。また、識別部７６により識別された硬貨が、釣銭収納繰出部８０に収納されるべき硬貨である場合には、金種別に各釣銭収納繰出部８０に送られ、これらの釣銭収納繰出部８０に収納される。
【０１１３】
その後、リジェクト硬貨シュート７４ａから搬送ベルト７５上に送られた硬貨は、この搬送ベルト７５により投出口７８に搬送される。
【０１１４】
なお、投出口７８に硬貨が１枚でも搬送された場合には、報知部１０２は、投出口７８に搬送された硬貨を識別機９０に投入することを操作者に報知するようになっている。すなわち、投出口７８に搬送された硬貨は、貨幣釣銭機７０において釣銭として受付できない硬貨の金種として設定されたものであり、このような硬貨は収納部材１６に収納してエアシュータ１４により出納室１７に搬送することとなるが、貨幣釣銭機７０の投出口７８に搬送された硬貨は、操作者により取り出すことが忘れがちになるので、報知部１０２により操作者に対して報知することが望ましい。
【０１１５】
そして、繰出部７３から全ての硬貨が繰り出され、釣銭収納繰出部８０または投出口７８に搬送されると、貨幣釣銭機７０における一連の入金処理が終了する。その後、貨幣釣銭機７０の制御部８２は、釣銭収納繰出部８０に釣銭として収納された硬貨の金種毎の枚数および合計金額に係る情報を、制御装置１００に送信する。
【０１１６】
次に、操作者は、貨幣釣銭機７０に釣銭として収納された硬貨以外の硬貨を識別機９０内に一括して投入し、投入された硬貨を識別機９０の識別部９６により識別し、識別された硬貨を収納部材１６に収納する。なお、操作者は、貨幣釣銭機７０に釣銭として収納された硬貨以外の硬貨を識別機９０内に１枚ずつ投入してもよい。
【０１１７】
より具体的には、操作者は、貨幣釣銭機７０に釣銭として収納された硬貨以外の硬貨を識別機９０の投入口９２により当該識別機９０の筐体９０ａ内に一括してまたは１枚ずつ投入する。この際に、貨幣釣銭機７０内に一度は投入されたが貨幣釣銭機７０の投出口７８に搬送された硬貨も、識別機９０の投入口９２により当該識別機９０の筐体９０ａ内に投入する。投入口９２に硬貨が投入された後、操作者が操作部により処理開始の指令を制御装置１００に与えると、投入口９２に投入されて繰出部９４に収納されている硬貨は１枚ずつ搬送部９５に繰り出され、搬送部９５により１枚ずつ搬送され、識別部９６によりその金種、真偽、正損等が識別される。識別部９６により識別された硬貨の識別情報は制御装置１００に送られる。制御装置１００は、識別機９０の識別部９６により識別された硬貨の合計金額を記憶部１０４に記憶させるようになっている。
【０１１８】
識別部９６により識別された硬貨は、収納機構９８により、識別機９０の近傍におけるエアシュータ１４の端部に待機している収納部材１６に１枚ずつ収納される。全ての硬貨が収納部材１６に収納されると、識別機９０における動作が終了する。
【０１１９】
その後、制御装置１００は、貨幣釣銭機７０の制御部８２から送られた、貨幣釣銭機７０の釣銭収納繰出部８０に釣銭として収納された硬貨に係る情報、および識別機９０の識別部９６による硬貨の識別結果に係る情報を合算する。このことにより、制御装置１００は、硬貨の入金額（貨幣処理システム全体における硬貨の入金額）を算出する。
【０１２０】
以上のように図１４および図１５に示すような貨幣処理システムによれば、貨幣釣銭機７０とは別個に、エアシュータ１４に接続された識別機９０が設けられており、この識別機９０は、当該識別機９０の内部に投入された硬貨の識別を行う識別部９６と、識別部９６により識別された硬貨を、エアシュータ１４により搬送されるべき収納部材１６に収納する収納機構９８と、を有している。また、制御装置１００は、貨幣釣銭機７０の釣銭収納繰出部８０に収納された硬貨に係る情報および識別機９０の識別部９６による硬貨の識別結果に係る情報がそれぞれ送られるようになっており、両者の情報を合算することにより硬貨の入金額を算出するようになっている。このように、貨幣釣銭機７０と、エアシュータ１４に接続された識別機９０を用いて硬貨の管理を行っており、貨幣釣銭機７０および識別機９０はそれぞれ制御装置１００に通信接続されているので、貨幣釣銭機７０に収納される硬貨およびエアシュータ１４により貨幣釣銭機７０とは別の装置（例えば、金庫１２等）に搬送される硬貨について、その合計金額である硬貨の入金額を確実に管理することができる。
【０１２１】
なお、図１４および図１５に示すような貨幣処理システムの動作は、上述のようなものに限定されることはない。代わりに、図１４および図１５に示すような貨幣処理システムの動作が以下のようなものとなっていてもよい。以下に示す貨幣処理システムの動作では、図１３のフローチャートに示される動作に類似する動作が行われる。
【０１２２】
操作者は、まず、処理すべき対象となる硬貨を全て貨幣釣銭機７０の投入口７２に投入する。そして、貨幣釣銭機７０において、投入口７２に投入された硬貨は上述のような処理と同様の処理が行われる。このことにより、貨幣釣銭機７０に釣銭として収納されるべき硬貨は釣銭収納繰出部８０に収納されるとともに、それ以外の硬貨は貨幣釣銭機７０の投出口７８に搬送される。なお、この際に、貨幣釣銭機７０において、当該貨幣釣銭機７０に投入された硬貨のうち貨幣釣銭機７０において釣銭として使用される硬貨以外のものは、例えば搬送ベルト７５上に一時的に保留され、貨幣釣銭機７０において硬貨の入金額が確定された後に、搬送ベルト７５上に一時的に保留された硬貨がこの搬送ベルト７５により投出口７８に搬送されて貨幣釣銭機７０の外部に投出されるようになっていてもよい。貨幣釣銭機７０の投出口７８に硬貨が搬送されると、制御装置１００は、貨幣釣銭機７０の外部に投出された硬貨を識別機９０に投入することを報知するよう報知部１０２を制御するようになっている。
【０１２３】
貨幣釣銭機７０における、釣銭としての硬貨の入金処理が終了すると、貨幣釣銭機７０の投出口７８に搬送された硬貨の情報、具体的には金種や金種毎の枚数等の情報が制御部８２から制御装置１００に送られる。
【０１２４】
次に、操作者は、貨幣釣銭機７０の投出口７８から硬貨を取り出し、この取り出された硬貨を識別機９０内に投入し、投入された硬貨を識別機９０の識別部９６により識別し、識別された硬貨を収納部材１６に収納する。
【０１２５】
より具体的には、操作者は、貨幣釣銭機７０の投出口７８から取り出された硬貨を硬貨識別機９０の投入口９２により当該識別機９０の筐体９０ａ内に投入する。筐体９０ａ内に投入され、繰出部９４から繰り出された硬貨は１枚ずつ搬送部９５により搬送され、識別部９６によりその金種、真偽、正損等が識別される。識別部９６により識別された硬貨の識別情報は制御装置１００に送られる。制御装置１００は、識別機９０の識別部９６により識別された硬貨の合計金額を記憶部１０４に記憶させる。
【０１２６】
識別部９６により識別された硬貨は、収納機構９８により、識別機９０の近傍におけるエアシュータ１４の端部に待機している収納部材１６に１枚ずつ収納される。全ての硬貨が収納部材１６に収納されると、識別機９０における動作が終了する。
【０１２７】
その後、制御装置１００は、貨幣釣銭機７０から投出された硬貨に係る情報および識別機９０の識別部９６による硬貨の識別結果が一致するか否かを判断する。ここで、両者の情報が一致する場合には、貨幣釣銭機７０から投出された硬貨が全て、識別機９０の収納機構９８により収納部材１６に適切に収納されたと判断され、エアシュータ１４により、硬貨が収納された収納部材１６が識別機９０から金庫１２に搬送される。
【０１２８】
以上のように上述のような貨幣処理システムによれば、制御装置１００は、貨幣釣銭機７０から投出された硬貨に係る情報および識別機９０の識別部９６による硬貨の識別結果に係る情報がそれぞれ送られるようになっており、両者の情報が一致するか否かを判断するようになっている。このため、貨幣釣銭機７０から投出された硬貨が識別機９０の収納機構９８により収納部材１６に適切に収納されたか否かを判断することができる。
【符号の説明】
【０１２９】
１０  貨幣処理システム
１２  金庫
１４  エアシュータ
１６  収納部材
１６ａ  スリット
１６ｂ  扉
１６ｃ  開口
１６ｄ  ロック部
１６ｅ、１６ｆ、１６ｇ  収納空間
１６ｍ  記憶部
１７  出納室
１８  レジライン
２０  貨幣釣銭機
２０ａ  筐体
２２  投入口
２２ａ  繰出機構
２４  搬送部
２６  識別部
２８  投出口
２９  リジェクト口
３０  釣銭収納繰出部
３２  一時保留部
３４  制御部
３６  インターフェース
４０  識別機
４０ａ  筐体
４２  投入口
４４  搬送部
４６  識別部
４８  収納機構
４８ａ  押し出し部材
４８ｗ  情報書き込み部
５０  制御部
５２  インターフェース
６０  制御装置
６２  報知部
６４  記憶部
７０  貨幣釣銭機
７０ａ  筐体
７２  投入口
７３  繰出部
７４  搬送部
７４ａ  リジェクト硬貨シュート
７５  搬送ベルト
７６  識別部
７８  投出口
８０  釣銭収納繰出部
８２  制御部
８４  インターフェース
９０  識別機
９０ａ  筐体
９２  投入口
９４  繰出部
９５  搬送部
９６  識別部
９８  収納機構
９８ｗ  情報書き込み部
１００  制御装置
１０２  報知部
１０４  記憶部
【図１】
2011159019.tif 000003
【図２】
2011159019.tif 000004
【図３】
2011159019.tif 000005
【図４】
2011159019.tif 000006
【図５】
2011159019.tif 000007
【図６】
2011159019.tif 000008
【図７】
2011159019.tif 000009
【図８】
2011159019.tif 000010
【図９】
2011159019.tif 000011
【図１０】
2011159019.tif 000012
【図１１】
2011159019.tif 000013
【図１２】
2011159019.tif 000014
【図１３】
2011159019.tif 000015
【図１４】
2011159019.tif 000016
【図１５】
2011159019.tif 000017